(57)【要約】      （修正有）【課題】和紙に施した漆塗り加工の品位・風合いと立体感を損なうことなく様々な形状に成形でき、成形した形状を維持できると共に繰り返して変形できる形状自在性を有する漆塗り積層シートを提供する。【解決手段】表裏を貫通する複数の開口部を有すると共に形状自在性を有するシート状基材１１と、シート状基材１１の表裏両面に積層された和紙シート１２ａ〜１２ｄとから構成され、表裏両面に積層された和紙シート１２ａ〜１２ｄは、シート状基材１１の複数の開口部１３を介して互いに接着されており、和紙シート１２ａ〜１２ｄの表面から内部にかけて漆塗り加工が施されている漆塗り積層シート１０。好ましくは、形状自在性を有するシート状基材１１が金属線材を編み込んだ金網であり、和紙シート１２ａ〜１２ｄが天然繊維を抄造した手漉き和紙である、漆塗り積層シート１０。【選択図】図１
2019006031.tif 000002
【特許請求の範囲】
【請求項１】
表裏を貫通する複数の開口部を有すると共に形状自在性を有するシート状基材と、
当該シート状基材の表裏両面に積層された和紙シートとから構成され、
前記表裏両面に積層された和紙シートは、前記複数の開口部を介して互いに接着されており、
当該和紙シートの表面から内部にかけて漆塗り加工が施されていることを特徴とする漆塗り積層シート。
【請求項２】
前記形状自在性を有するシート状基材は、金属線材を編み込んだ金網であることを特徴とする請求項１に記載の漆塗り積層シート。
【請求項３】
前記和紙シートは、天然繊維を抄造した手漉き和紙であることを特徴とする請求項１又は２に記載の漆塗り積層シート。
【発明の詳細な説明】
【技術分野】
【０００１】
本発明は、漆工芸を利用した漆塗り積層シートに関するものであり、特に形状自在性を有する基材に貼り付けた和紙に漆塗り加工を施した漆塗り積層シートに関するものである。
【背景技術】
【０００２】
一般に漆工芸の用途としては、漆器、家具、仏具などがある。これらは、木工品や木工家具の表面に漆塗り加工を施すものである。また、より実用的な用途としては、一閑張などがある。これは、竹や木で組んだ骨組みに和紙を何度も張り重ねて形を作り、これに柿渋や漆を塗って、色を付けたり防水加工や補強にするものである。
【０００３】
この一閑張は、軽くて丈夫で実用性に優れると同時に、その素朴な風合いが好まれる。しかし、単に基材に貼り付けた和紙に漆を塗るだけであることから表面変化に乏しいものであった。そこで、単に和紙や織物の表面に漆塗り加工を施すだけでなく、表面変化のある漆工芸品を作る方法などが提供されている。
【０００４】
例えば、下記特許文献１においては、予め凹凸模様を施した和紙シートの裏面に補強材を添えて、表裏両面から漆塗り加工を施した疑似皮革を提案している。また、下記特許文献２においては、予め籠や家具などの表面に和紙や粘土などで隆起形状を形成しておき、これに漆塗り加工を施した立体感のある漆工芸品を提案している。
【先行技術文献】
【特許文献】
【０００５】
【特許文献１】特開２００４−２０４３８３号公報
【特許文献２】特開２０１４−００８７５１号公報
【発明の概要】
【発明が解決しようとする課題】
【０００６】
ところで、上記特許文献１の疑似皮革においては、凹凸模様を施した和紙シートで立体感を表現し、漆塗り加工でその立体感を保っている。また、疑似皮革自体がシート状であるので様々な形状に成形することができ、色々な製品の材料として使用することができる。しかし、変形を繰り返すと和紙シートの凹凸模様が崩れ、耐久性のある立体感が得られなかった。また、様々な形状に成形することができるが、成形した形状を疑似皮革自体が維持することができず、他の材料で形状を固定する必要があった。そのため、疑似皮革自体で様々な形状に成形し、これを繰り返して他の形状に変更することができなかった。
【０００７】
また、上記特許文献２の工芸品においては、基材の表面に粘度などで隆起形状を形成しているので、立体感は表現できるがシート状にすることができなかった。従って、様々な形状に成形することができず、変形すると粘度の形状が崩れて立体感が維持できなかった。
【０００８】
そこで、本発明は、以上のようなことに対処して、和紙に施した漆塗り加工の品位・風合いと立体感を損なうことなく様々な形状に成形でき、成形した形状を維持できると共に繰り返して変形できる形状自在性を有する漆塗り積層シートを提供することを目的とする。
【課題を解決するための手段】
【０００９】
上記課題の解決にあたり、本発明者は、鋭意研究の結果、形状の成形が容易でその形状を維持できる基材と和紙とを組み合わせ、これに漆塗り加工を施すことにより本発明の完成に至った。
【００１０】
即ち、本発明に係る漆塗り積層シートは、請求項１の記載によると、
表裏を貫通する複数の開口部を有すると共に形状自在性を有するシート状基材と、
当該シート状基材の表裏両面に積層された和紙シートとから構成され、
前記表裏両面に積層された和紙シートは、前記複数の開口部を介して互いに接着されており、
当該和紙シートの表面から内部にかけて漆塗り加工が施されていることを特徴とする。
【００１１】
また、本発明は、請求項２の記載によると、請求項１に記載の漆塗り積層シートであって、
前記形状自在性を有するシート状基材は、金属線材を編み込んだ金網であることを特徴とする。
【００１２】
また、本発明は、請求項３の記載によると、請求項１又は２に記載の漆塗り積層シートであって、
前記和紙シートは、天然繊維を抄造した手漉き和紙であることを特徴とする。
【発明の効果】
【００１３】
上記構成によれば、和紙に施した漆塗り加工の品位・風合いと立体感を損なうことなく様々な形状に成形でき、成形した形状を維持できると共に繰り返して変形できる形状自在性を有する漆塗り積層シートを提供することができる。
【図面の簡単な説明】
【００１４】
【図１】本実施形態に係る漆塗り積層シートの構成を示す斜視図である。
【図２】本実施形態に係る漆塗り積層シートに使用する材料を示す写真である。
【図３】図２に示す材料を積層接着した積層シートの表面を示す写真である。
【図４】図３に示す積層シートの断面の概略図である。
【図５】図３に示す積層シートの表面に漆塗り加工を施した漆塗り積層シートを示す写真である。
【図６】図５に示す漆塗り積層シートの用途例を示す写真である。
【図７】図６に示す漆塗り積層シートの用途例の一例を示す写真である。
【図８】図６に示す漆塗り積層シートの用途例の他の例を示す写真である。
【発明を実施するための形態】
【００１５】
本発明に係る漆塗り積層シートは、シート状基材とこのシート状基材の表裏両面に積層された和紙シートとから構成され、和紙シートの表面から内部にかけて漆塗り加工が施されている。また、シート状基材は、表裏を貫通する複数の開口部を有している。シート状基材の表裏両面に積層された和紙シートは、シート状基材の複数の開口部を介して互いに接着されている。このことにより、シート状基材と表裏両面に積層された和紙シートとが一体となって積層シート（漆を塗る前の状態をいう）を構成する。
【００１６】
また、シート状基材は、形状自在性を有している。ここで、形状自在性とは自由自在に形状を変化できることをいい、変化した形状を維持できることをいう。シート状基材が形状自在性を有することにより、和紙シートと積層された状態においても積層シートは形状自在性を有することができる。なお、積層シートに漆塗り加工を施した状態（漆塗り積層シート）においても、この性質は維持されている。
【００１７】
ここで、本発明に係る漆塗り積層シートを一実施形態において説明する。なお、本発明は、下記に示す実施形態にのみ限定されるものではない。図１は、本実施形態に係る漆塗り積層シートの構成を示す斜視図である。図１において、漆塗り積層シート１０は、漆塗り加工が施される前の状態（積層シート１０ａ）であり、中央のシート状基材１１を介して表裏両面にそれぞれ２枚ずつの和紙シート１２（１２ａ、１２ｂ、１２ｃ、１２ｄ）で構成されている。
【００１８】
シート状基材１１は、上述のように、表裏を貫通する複数の開口部１３を有すると共に、形状自在性を有している。シート状基材１１が形状自在性を有することにより、これを積層した漆塗り積層シート１０を様々な形状に成形でき、成形した形状を維持できると共に繰り返して変形できるようになる。なお、形状自在性を有する素材としては、特に限定するものではないが、各種金属或いは一部のプラスチックなどが適している。竹材などの素材も考えうるが弾性が強く、変化した形状を維持するという点では、金属などを使用することが好ましい。
【００１９】
また、複数の開口部１３は、その開口率を特に限定するものではないが、シート状基材１１の表裏両面に積層される和紙シートが互いに強く接着するために必要である。表裏両面の和紙シートが互いに強く接着することにより、繰り返して変形できる形状自在性を維持することができる。なお、複数の開口部１３を有する点からは、線材を編み込んだ編物状或いは網状の基材が適している。しかし、これに限定するものではなく、板状のものを開口工作するようにしてもよい。例えば、薄い金属板にパンチングで複数の開口部を形成するようにしてもよい。
【００２０】
本実施形態においては、シート状基材１１として金属線材を編み込んだ金網を使用した。なお、金網に使用する金属線材の素材及び線径は特に限定するものではないが、漆塗り積層シート１０の形状自在性を維持する点から選定することが好ましい。また、和紙シートを互いに接着する接着剤や漆塗り加工の漆で腐食しない素材を選定することが好ましい。本実施形態においては、線径０．３ｍｍの亜鉛メッキ鉄線を亀甲状に編み込んだ金網を使用した。この金網には、多くの開口部が形成されている。
【００２１】
和紙シート１２は、シート状基材１１と一体となって形状自在性が維持できる素材を選定することが好ましい。なお、洋紙なども使用することができるが、漆塗り加工の各工程に適すると共に仕上がりの品位・風合いの点から適切な和紙を使用することが好ましい。本実施形態においては、和紙シート１２として天然繊維を抄造した手漉き和紙を使用した。手漉き和紙は、繊維の絡みが多く独特の表面感と強度を有し、シート状基材１１への密着性と変形時の伸びに優れ、形状自在性を維持するうえで破れなどの欠点がない。
【００２２】
また、本実施形態においては、図１のように和紙シート１２は、表裏両面にそれぞれ２枚ずつ使用するものであるが、これに限定するものではない。表裏両面の和紙シート１２は、それぞれ１枚ずつ或いは３枚以上ずつ、又は、表裏両面で枚数が異なるようにしてもよい。
【００２３】
次に、漆塗り積層シート１０を製造方法の面から説明する。図２は、本実施形態に係る漆塗り積層シートに使用する材料を示す写真である。図２において、シート状基材１１（以下「金網１１」という）とその表裏両面に積層される和紙シート１２ａ、１２ｂを示している。なお、和紙シート１２ａ、１２ｂに更に積層される和紙シート１２ｃ、１２ｄは示していない。
【００２４】
まず、和紙シート１２を金網１１の表裏両面に接着する接着剤を準備する。接着剤の種類は特に限定するものではないが、漆塗り加工に通常に用いられるものでよい。本実施形態においては、加工デンプンなどの糊剤と酢酸ビニル樹脂乳化物とを配合して使用した。次に、和紙シート１２ａ、１２ｂの各表面に接着剤を塗布する。次に、金網１１の表裏両面に接着剤を塗布した２枚の和紙シート１２ａ、１２ｂを密着させ、金網１１と和紙シート１２ａ、１２ｂとの接着、及び、金網１１の開口部を介して和紙シート１２ａと和紙シート１２ｂとの接着を行う。
【００２５】
次に、別の２枚の和紙シート１２ｃ、１２ｄの各表面に接着剤を塗布する。次に、金網１１の表裏両面に接着した和紙シート１２ａ、１２ｂの各表面に和紙シート１２ｃ、１２ｄを密着させ、和紙シート１２ａと和紙シート１２ｃとの接着、及び、和紙シート１２ｂと和紙シート１２ｄとの接着を行う。このようにして、金網１１と４枚の和紙シート１２１２ａ、１２ｂ、１２ｃ、１２ｄとが密着した状態で、この積層シート１０ａを１２時間〜２４時間圧着すると共に積層シート１０ａを乾燥する。
【００２６】
図３は、材料を積層接着した積層シートの表面を示す写真である。図３において、圧着された積層シート１０ａの表面には、金網１１を構成する金属線材の形状が浮き上がるようにして立体模様が表現されている。なお、裏面も同様である。図４は、圧着された積層シート１０ａの断面の概略図である。図４において、金網１１を構成する金属線材１１ａの間には、金網１１の開口部１３が形成されている。この開口部１３を介して、金網１１の表側の和紙シート１２ａ、１２ｂと裏側の和紙シート１２ｃ、１２ｄとが密着して接着していることが分かる。また、和紙シート１２ａ、１２ｂ、１２ｃ、１２ｄは、いずれも金属線材１１ａの部分で隆起して立体模様を表現している。
【００２７】
次に、乾燥した積層シート１０ａに漆塗り加工を施す。漆は、溶剤で希釈して和紙シートに吸い込ませるようにして塗布する。漆の希釈には、通常の溶剤を使用すればよい。例えば、透明漆の場合には、テレピン油で希釈する。また、色漆の場合には、顔料を混合してシンナーで希釈する。漆塗り加工は、複数回繰り返すことが好ましい。積層シート１０ａの和紙シート１２に漆を塗布し、乾燥する。この操作を複数回繰り返して漆塗り積層シート１０を得る。
【００２８】
図５は、積層シート１０ａの表面に漆塗り加工を施した漆塗り積層シート１０を示す写真である。図５において、漆塗り積層シート１０の表面には、金網１１を構成する金属線材の形状が浮き上がるようにして立体模様が表現されていると共に、漆塗り加工による工芸的な表面品位／風合いが表現されている。
【００２９】
このようにして作製した漆塗り積層シート１０は、和紙に施した漆塗り加工の品位・風合いと立体感を損なうことなく様々な形状に成形でき、成形した形状を維持できると共に繰り返して変形できる形状自在性を有していた。また、変形を繰り返しても立体形状が崩れることもなく、また、表面の和紙シートが破れるということもなかった。図６〜図８は、作製した漆塗り積層シート１０を材料として成形した用途例を示す写真である。例えば、電球の傘、バッグ、小物入れなどである。また、この漆塗り積層シート１０は、壁紙などとして各種インテリアの材料に利用することができる。
【００３０】
以上のことから、本発明によれば、和紙に施した漆塗り加工の品位・風合いと立体感を損なうことなく様々な形状に成形でき、成形した形状を維持できると共に繰り返して変形できる形状自在性を有する漆塗り積層シートを提供することができる。
【００３１】
なお、本発明の実施にあたり、上記実施形態に限らず次のような種々の変形例が挙げられる。
（１）上記実施形態においては、形状自在性を有するシート状基材として亀甲模様の金網を使用したが、これに限るものではなく、他の形状の金網や金網以外の基材を使用するようにしてもよい。
（２）上記実施形態においては、金網に積層する和紙シートを表裏２枚ずつ計４枚使用したが、これに限るものではなく、表裏それぞれ１枚或いは３枚以上積層するようにしてもよい。また、表面と裏面とで積層する和紙シートの枚数を変化させるようにしてもよい。
（３）上記実施形態においては、色漆（使用したのは茶漆）を使用したが、これに限るものではなく、透明漆或いは他の色漆を使用するようにしてもよい。
【符号の説明】
【００３２】
１０…漆塗り積層シート、１０ａ…積層シート、１１…シート状基材（金網）、
１１ａ…金属線材、１２、１２ａ、１２ｂ、１２ｃ、１２ｄ…和紙シート、
１３…開口部。
【図１】
2019006031.tif 000003
【図２】
2019006031.tif 000004
【図３】
2019006031.tif 000005
【図４】
2019006031.tif 000006
【図５】
2019006031.tif 000007
【図６】
2019006031.tif 000008
【図７】
2019006031.tif 000009
【図８】
2019006031.tif 000010